(57)【要約】【課題】おむつを着用した状態で着用者が脚を動かしやすい使い捨ておむつを提供する。【解決手段】おむつ本体２の外面側の幅方向ｘの一方側と他方側にベルト部材１１が取り付けられた使い捨ておむつ１であって、ベルト部材１１は、前側固定領域１２と後側固定領域１３とこれらの間に位置しおむつ本体２に固定されないベルト中間領域１４とを有し、前側固定領域１２とベルト中間領域１４との前側境界線１５は幅方向ｘの内方かつ前後方向ｙの外方に向かって延びる前側傾斜線を含んで形成され、後側固定領域１３とベルト中間領域１４との後側境界線１６は幅方向ｘの内方かつ前後方向ｙの外方に向かって延びる後側傾斜線を含んで形成され、前側境界線１５の前側傾斜線と後側境界線１６の後側傾斜線が前後方向ｙに対してなす角をそれぞれ角αと角βとしたときに、角αと角βはいずれも４５°超７５°以下であり、かつ角αは角βよりも大きい。【選択図】図２
2018153307.tif 000002
【特許請求の範囲】
【請求項１】
前後方向に前腹部と後背部とこれらの間に位置する股部を有し、前記股部に吸収体が設けられたおむつ本体と、
前記おむつ本体の外面側の幅方向の一方側と他方側にそれぞれ取り付けられたベルト部材とを有する使い捨ておむつであって、
前記ベルト部材は、前記前腹部に固定された前側固定領域と、前記後背部に固定された後側固定領域と、これらの間に位置し前記おむつ本体に固定されないベルト中間領域とを有し、前記前側固定領域と前記ベルト中間領域とは前側境界線によって区分され、前記後側固定領域と前記ベルト中間領域とは後側境界線によって区分され、
前記前側境界線は、前記幅方向の内方かつ前記前後方向の外方に向かって延びる前側傾斜線を含んで形成され、
前記後側境界線は、前記幅方向の内方かつ前記前後方向の外方に向かって延びる後側傾斜線を含んで形成され、
前記前側傾斜線が前記前後方向に対してなす角を角αとし、前記後側傾斜線が前記前後方向に対してなす角を角βとしたときに、角αと角βはいずれも４５°超７５°以下であり、かつ角αは角βよりも大きいことを特徴とする使い捨ておむつ。
【請求項２】
前記前側境界線の前側端は、前記おむつ本体の前側縁よりも前記前後方向の内方に位置する請求項１に記載の使い捨ておむつ。
【請求項３】
前記前側境界線の前側端から前記後側境界線の後側端までの前記前後方向の長さは、前記おむつ本体の前記前後方向の長さの５０％以上９５％以下である請求項１または２に記載の使い捨ておむつ。
【請求項４】
前記おむつ本体の前側縁は前記幅方向に延びる直線部を含み、前記直線部は前記おむつ本体の前記幅方向の長さの５０％以上を有する請求項１〜３のいずれか一項に記載の使い捨ておむつ。
【請求項５】
前記前側境界線の前側端の前記おむつ本体の前側縁からの離間距離は、前記後側境界線の後側端の前記おむつ本体の後側縁からの離間距離よりも長く形成されている請求項１〜４のいずれか一項に記載の使い捨ておむつ。
【請求項６】
前記ベルト部材の前記前側固定領域および／または前記後側固定領域は、前記前後方向の長さが前記幅方向の内方側よりも外方側の方が長く形成されている請求項１〜５のいずれか一項に記載の使い捨ておむつ。
【請求項７】
前記吸収体は前記股部から前記前腹部および／または前記後背部に延在して設けられ、前記前側境界線および／または前記後側境界線が前記吸収体と重なって形成される請求項１〜６のいずれか一項に記載の使い捨ておむつ。
【請求項８】
前記ベルト部材は伸縮性である請求項１〜７のいずれか一項に記載の使い捨ておむつ。
【発明の詳細な説明】
【技術分野】
【０００１】
本発明は使い捨ておむつに関するものである。
【背景技術】
【０００２】
従来、様々な種類の使い捨ておむつが知られており、これらの使い捨ておむつは、通常、着用者の腹側に当てる前腹部と着用者の背側に当てる後背部とこれらの間に位置し着用者の股間に当てる股部を有しており、股部に吸収体が設けられている。使い捨ておむつとしては、例えば、後背部の左右両側に一対の止着部材が設けられ、当該止着部材により着用時にパンツ形状に形成するテープタイプの使い捨ておむつや、前腹部と後背部とが接合されてウェスト開口部と一対の脚開口部とが形成されたパンツタイプの使い捨ておむつが広く知られている。またこれら以外にも、特許文献１〜３には、おむつ本体の前腹部と後背部とをベルト部材で繋いだ使い捨ておむつが開示されている。特許文献１〜３に開示された使い捨ておむつは、おむつ本体の前側縁と後側縁が、おむつの幅方向の外方かつ前後方向の内方に延びる傾斜辺部を含んで形成されており、この前側縁と後側縁の傾斜辺部にベルト部材が取り付けられている。このように使い捨ておむつが形成されることにより、ベルト部材をおむつ本体の外面側に位置させたり、おむつの着用の際には、ベルト部材を着用者の腰回りに位置させたりすることができるようになっている。
【先行技術文献】
【特許文献】
【０００３】
【特許文献１】特開平９−１０２６１号公報
【特許文献２】特開平９−２９０００３号公報
【特許文献３】特開２００４−２３６８５０号公報
【発明の概要】
【発明が解決しようとする課題】
【０００４】
特許文献１〜３に開示される使い捨ておむつは、おむつ本体の前腹部と後背部とがベルト部材で繋がってパンツ形状に形成されたものであり、このように予めパンツ形状に形成された使い捨ておむつは、通常、日常生活をある程度支障なく行える人が着用する。そのため、おむつを着用した際に身体の動きの邪魔にならないことが求められ、例えば、おむつを着用しても脚を自由に動かせることが望まれる。本発明は前記事情に鑑みてなされたものであり、その目的は、おむつ本体の前腹部と後背部とをベルト部材で繋いで形成された使い捨ておむつであって、おむつを着用した状態で着用者が脚を動かしやすい使い捨ておむつを提供することにある。
【課題を解決するための手段】
【０００５】
前記課題を解決することができた本発明の使い捨ておむつとは、前後方向に前腹部と後背部とこれらの間に位置する股部を有し、股部に吸収体が設けられたおむつ本体と、おむつ本体の外面側の幅方向の一方側と他方側にそれぞれ取り付けられたベルト部材とを有する使い捨ておむつであって、ベルト部材は、前腹部に固定された前側固定領域と、後背部に固定された後側固定領域と、これらの間に位置しおむつ本体に固定されないベルト中間領域とを有し、前側固定領域とベルト中間領域とは前側境界線によって区分され、後側固定領域とベルト中間領域とは後側境界線によって区分され、前側境界線は、幅方向の内方かつ前後方向の外方に向かって延びる前側傾斜線を含んで形成され、後側境界線は、幅方向の内方かつ前後方向の外方に向かって延びる後側傾斜線を含んで形成され、前側傾斜線が前後方向に対してなす角を角αとし、後側傾斜線が前後方向に対してなす角を角βとしたときに、角αと角βはいずれも４５°超７５°以下であり、かつ角αは角βよりも大きいところに特徴を有する。
【０００６】
本発明の使い捨ておむつは、おむつ本体の前腹部と後背部とを繋ぐベルト部材のおむつ本体への非固定領域であるベルト中間領域が、おむつを着用した際に、後背部よりも前腹部でおむつ本体から斜め上方に延びるように形成されているため、ベルト部材とおむつ本体の股部とによって形成される脚開口部が、前側の方が後側よりも広く形成される。そのため、おむつを着用した際に、おむつの脚回りでの可動域が広がり、着用者が脚を動かしやすくなる。
【０００７】
前側境界線の前側端は、おむつ本体の前側縁よりも前後方向の内方に位置することが好ましい。このようにベルト部材がおむつ本体に取り付けられていれば、おむつ本体の前腹部が着用者の腹側を広く覆うことが可能となるとともに、おむつを着用の際、おむつ本体の前側端部がベルト部材によって支えられ、おむつ本体の前側端部がおむつの外面側に折れ返りにくくなる。
【０００８】
前側境界線の前側端から後側境界線の後側端までの前後方向の長さは、おむつ本体の前後方向の長さの５０％以上９５％以下であることが好ましい。このように使い捨ておむつを構成することにより、おむつ本体が着用者の股間を含む腹側から背側に至る広い範囲を覆うようにしつつ、おむつ本体の前後方向の長さよりも短い長さで形成されたベルト中間領域によって、着用者の腰回りのフィット性を高めることができる。そのため、おむつ着用の際に、着用者の股間および腰回りで使い捨ておむつが好適に保持され、尿等の漏れが起こりにくくなる。
【０００９】
おむつ本体の前側縁は幅方向に延びる直線部を含み、当該直線部はおむつ本体の幅方向の長さの５０％以上を有することが好ましい。このようにおむつ本体が形成されていれば、おむつ本体が前側端部において着用者の腹側を広く覆うことが可能となる。また、ベルト中間領域がおむつ本体の前腹部から斜め上方に延びるように形成されているため、おむつを着用の際、おむつ本体の前側端部の幅方向の両側がベルト部材によって覆われて、おむつ本体の前側端部の着用者の肌への密着性を高めやすくなる。
【００１０】
前側境界線の前側端のおむつ本体の前側縁からの離間距離は、後側境界線の後側端のおむつ本体の後側縁からの離間距離よりも長く形成されていることが好ましい。このようにベルト部材がおむつ本体に取り付けられていれば、おむつ本体の前腹部がそけい部に沿って引き上げられて、おむつ本体の着用者の腹側への密着性を高めることが容易になる。そのため、着用者の腹側でおむつ本体が邪魔に感じにくくなり、着用者が脚を動かしやすくなる。
【００１１】
ベルト部材の前側固定領域および／または後側固定領域は、前後方向の長さが幅方向の内方側よりも外方側の方が長く形成されていることが好ましい。ベルト部材の幅方向の外方側は、おむつを着用した際に着用者の脚の動きにより影響を受けやすい。そのため、前側固定領域および／または後側固定領域の前後方向の長さを幅方向の外方側でより長く形成して、前側固定領域および／または後側固定領域が幅方向の外方側でより広い面積となるように形成することで、おむつを着用した際に、ベルト部材がおむつ本体から剥がれにくくなる。
【００１２】
吸収体は股部から前腹部および／または後背部に延在して設けられ、前側境界線および／または後側境界線が吸収体と重なって形成されることが好ましい。このように使い捨ておむつが形成されていれば、おむつ本体の前側境界線や後側境界線での剛性が高まり、おむつを着用の際におむつ本体が前側境界線や後側境界線でベルト部材によって引っ張られても、前側境界線や後側境界線でおむつ本体が折れ曲がりにくくなる。
【００１３】
ベルト部材は伸縮性であることが好ましい。このようにベルト部材を形成することにより、使い捨ておむつの腰回りのフィット性を高めやすくなる。
【発明の効果】
【００１４】
本発明の使い捨ておむつは、おむつ本体の前腹部と後背部とを繋ぐベルト部材のおむつ本体への非固定領域であるベルト中間領域が、おむつを着用した際に、後背部よりも前腹部でおむつ本体から斜め上方に延びるように形成されているため、ベルト部材とおむつ本体の股部とによって形成される脚開口部が、前側の方が後側よりも広く形成される。そのため、おむつを着用した際に、おむつの脚回りでの可動域が広がり、着用者が脚を動かしやすくなる。
【図面の簡単な説明】
【００１５】
【図１】本発明の使い捨ておむつの使用状態の正面斜視図を表す。
【図２】図１に示した使い捨ておむつのベルト部材を切断して平面状に展開した状態で使い捨ておむつをバックシート側から見た平面図を表す。
【図３】図１に示した使い捨ておむつのベルト部材をおむつ本体の外面側に移動させた状態で使い捨ておむつをバックシート側から見た平面図を表す。
【図４】図３に示した使い捨ておむつをトップシート側から見た平面図を表す。
【図５】図３および図４に示した使い捨ておむつのＶ−Ｖ断面図を表す。
【発明を実施するための形態】
【００１６】
本発明に係る使い捨ておむつの構成について、図面を参照して説明する。なお本発明は、図面に示された実施態様に限定されるものではない。図１は、使い捨ておむつの使用状態の正面斜視図を表し、図２は、図１に示した使い捨ておむつのベルト部材を切断して平面状に展開した状態での使い捨ておむつをバックシート側から見た平面図を表し、図３は、図１に示した使い捨ておむつのベルト部材の表裏を反転させておむつ本体の外面側に移動させた状態での使い捨ておむつをバックシート側から見た平面図を表し、図４は、図３に示した使い捨ておむつをトップシート側から見た平面図を表し、図５は、図３および図４に示した使い捨ておむつのＶ−Ｖ断面図を表す。本願の図では、矢印ｘが幅方向、矢印ｙが前後方向を表し、矢印ｘ，ｙにより形成される面に対して垂直方向が厚み方向ｚを表す。なお図２〜図４では、図面の上側がおむつの前側に相当し、図面の下側がおむつの後側に相当する。
【００１７】
使い捨ておむつ１は、おむつ本体２とベルト部材１１とを有する。おむつ本体２は、おむつ着用の際に着用者の股間を覆うように装着される部分であり、ベルト部材１１は、おむつ着用の際に着用者の左右の腰回りを覆うように装着される部分である。
【００１８】
使い捨ておむつ１およびおむつ本体２は、前後方向ｙと幅方向ｘとを有する。前後方向ｙは、おむつを着用した際に着用者の股間の前後方向に延びる方向に相当する。幅方向ｘは、使い捨ておむつ１（特におむつ本体２）と同一面上にあり前後方向ｙと直交する方向を意味し、おむつを着用した際の着用者の左右方向に相当する。使い捨ておむつ１はまた、肌面側と外面側を有する。肌面側とは、おむつを着用した際の着用者の肌に向く側を意味し、外面側とは、おむつを着用した際の着用者とは反対に向く側を意味する。
【００１９】
おむつ本体２は、前後方向ｙに対して、前腹部Ｐと股部Ｒと後背部Ｑを有する。前腹部Ｐは、おむつ着用の際に着用者の腹側に当てる部分に相当し、後背部Ｑは、おむつ着用の際に着用者の背側に当てる部分に相当する。また、前腹部Ｐと後背部Ｑとの間に位置し、着用者の股間に当てる部分を股部Ｒと称する。前腹部Ｐと股部Ｒと後背部Ｑは、おむつ本体２を前後方向ｙに３分割したときに、ベルト部材１１が固定される部分が前腹部Ｐおよび後背部Ｑに含まれ、前腹部Ｐと後背部Ｑの間のベルト部材１１が固定されない部分を股部Ｒとすることができる。
【００２０】
おむつ本体２には、股部Ｒに吸収体５が設けられる。吸収体５は少なくとも股部Ｒに設けられればよく、股部Ｒから前腹部Ｐおよび／または後背部Ｑに延在して設けられることが好ましい。おむつ本体２は、厚み方向ｚに対して、吸収体５がトップシート３とバックシート４との間に配されることが好ましい。トップシート３はおむつを着用した際に着用者側に位置するシートであり、吸収体５の肌面側に配される。トップシート３は液透過性であることが好ましい。バックシート４は、おむつを着用した際に着用者とは反対側、すなわち外側に位置するシートであり、吸収体５の外面側に配される。バックシート４は液不透過性であることが好ましい。着用者から排泄された尿等はトップシート３を透過して吸収体５により収容され、バックシート４は排泄物が外部へ漏れるのを防ぐ。
【００２１】
液透過性のトップシート３としては、例えば、セルロース、レーヨン、コットン等の親水性繊維から形成された不織布や、ポリオレフィン（例えば、ポリプロピレン、ポリエチレン）、ポリエステル（例えば、ＰＥＴ）、ポリアミド（例えば、ナイロン）等の疎水性繊維から形成された不織布であって、疎水性繊維の表面が界面活性剤により親水化されたもの等を用いることができる。また、トップシート３として、織布、編布、有孔プラスチックフィルム等を用いてもよい。
【００２２】
液不透過性のバックシート４としては、ポリオレフィン（例えば、ポリプロピレン、ポリエチレン）、ポリエステル（例えば、ＰＥＴ）、ポリアミド（例えば、ナイロン）等の疎水性繊維から形成された不織布や、プラスチックフィルム等を用いることができる。バックシート４は２以上のシートの積層体から構成されていてもよく、例えば、不織布とプラスチックフィルムとの積層体を用いてもよい。この場合、積層体を構成する少なくとも１つのシートが液不透過性であればよく、また積層体を構成する各シートは同じ大きさであっても異なる大きさであってもよい。液不透過性には撥水性の意味も含まれる。
【００２３】
吸収体５は、尿等の排泄物を吸収できる吸収性材料を含むものであれば特に限定されない。吸収体５としては、例えば、吸収性材料を所定形状に成形した成形体を用いることができる。吸収体５は、紙シート（例えば、ティッシュペーパーや薄葉紙）や液透過性不織布等の被覆シートで覆われてもよい。吸収性材料としては、例えば、パルプ繊維等の親水性繊維や、ポリアクリル酸系、ポリアスパラギン酸系、セルロース系、デンプン・アクリロニトリル系等の吸水性樹脂等が挙げられる。また、吸水性材料には、ポリエチレン、ポリプロピレン等のポリオレフィン繊維や、ＰＥＴ等のポリエステル繊維、ポリアミド繊維等の熱融着性繊維が含まれてもよい。これらの熱融着性繊維は、尿等との親和性を高めるために、界面活性剤等により親水化処理がされていてもよい。
【００２４】
吸収性材料は、尿等の吸収速度を高める点から、親水性繊維を含むことが好ましい。また、吸収容量を高める点からは、吸収性材料は吸水性樹脂を含むことが好ましい。従って、吸収体は親水性繊維（特にパルプ繊維）と吸水性樹脂を含むことが好ましい。この場合、例えば、親水性繊維の集合体に吸水性樹脂を混合または散布したものを用いることが好ましい。
【００２５】
吸収体５はシート状吸収体であってもよい。シート状吸収体としては、不織布間に吸水性樹脂を有しパルプ繊維を有しないように形成されたものが挙げられる。このように形成されたシート状吸収体は不織布間に吸水性樹脂を有するため、高い吸収容量を実現できる。また、シート状吸収体は不織布間にパルプ繊維を有しないため、嵩張らず薄型に形成することができる。
【００２６】
シート状吸収体は、吸収性材料として吸水性繊維を用いたものであってもよい。この場合もまた、シート状吸収体が嵩張らず薄型に形成される。吸水性繊維としては、プロトン化または塩形成したカルボキシル基を含有する繊維が挙げられる。例えば、アクリル繊維を加水分解して、アクリル繊維に含まれるニトリル基をカルボキシル基に変換することにより、吸水性繊維を得ることができる。このとき、吸水性繊維に含まれるカルボキシル基は、アルカリ金属塩またはアンモニア塩を形成していることが好ましい。また吸水性繊維は、親水性繊維をアクリル酸に浸漬し、繊維表面でアクリル酸を析出させることにより製造することができる。
【００２７】
吸収体５の形状（平面形状）は特に限定されない。吸収体５の形状は、用途に応じて適宜決定すればよく、例えば、長方形、砂時計形、羽子板形等が挙げられる。なお、吸収体５は、着用者の大腿部に挟まれて幅方向ｘに圧迫されても歪みにくくする点から、砂時計形、すなわち前後方向ｙの中間部がくびれた形状に形成されることが好ましい。
【００２８】
トップシート３の幅方向ｘの両側には、立ち上がりフラップ６が設けられることが好ましい（図５を参照）。立ち上がりフラップ６を設けることにより、尿等の排泄物の横漏れを防ぐことができる。立ち上がりフラップ６は、例えば、トップシート３の幅方向ｘの両側に、前後方向ｙに延在するサイドシート７を接合し、サイドシート７の幅方向ｘの内方側に起立用弾性部材８を設けることにより形成することができる。このようにサイドシート７と起立用弾性部材８を設けることで、起立用弾性部材８の収縮力によりサイドシート７の幅方向ｘの内方側が着用者の肌に向かって立ち上がり、立ち上がりフラップ６が形成される。立ち上がりフラップ６またはサイドシート７はバックシート４に使用可能なシート材料から構成することができ、例えば、液不透過性のプラスチックフィルムや液不透過性の不織布等により構成されることが好ましい。
【００２９】
立ち上がりフラップ６（すなわちサイドシート７の幅方向ｘの内方側）は前後方向ｙの端部の内面がトップシート３上に接合されてもよく、これにより尿等の前後方向ｙの外方への漏れが防止される。
【００３０】
上記に説明した各シート材料として不織布を用いる場合、不織布としては、スパンボンド不織布、エアスルー不織布、ポイントボンド不織布、メルトブロー不織布、エアレイド不織布、ＳＭＳ不織布等を用いることが好ましい。各シートの単位面積あたりの質量は、１０ｇ／ｍ２以上が好ましく、１２ｇ／ｍ２以上がより好ましく、また４０ｇ／ｍ２以下が好ましく、３０ｇ／ｍ２以下がより好ましい。
【００３１】
おむつ本体２の股部Ｒの幅方向ｘの両側には、前後方向ｙに延びる脚用弾性部材が設けられてもよい（図示せず）。脚用弾性部材を設けることにより、着用者の脚回りにギャザーを形成して脚回りのフィット性を高めたり、横漏れを防止することができる。脚用弾性部材は、少なくとも一部が吸収体５よりも幅方向ｘの外方に位置するように設けられることが好ましい。
【００３２】
使い捨ておむつ１に設けられる弾性部材としては、ポリウレタン糸、ポリウレタンフィルム、天然ゴム等の通常の使い捨ておむつに用いられる弾性伸縮材料を用いることができる。弾性部材は、接着剤（例えば、ホットメルト接着剤）や溶着（例えば、超音波溶着）等の公知の接合手段を用いて、伸張状態で取り付けられることが好ましい。例えば、繊度４０〜１，２４０ｄｔｅｘのポリウレタン糸を、倍率１．１〜５．０倍に伸張して配設し、固定する。接合手段としては、好ましくは、ゴム系のホットメルト接着剤が用いられる。なお、前記倍率は、非伸張状態を１．０倍とする。
【００３３】
おむつ本体２の形状（平面形状）は特に限定されない。おむつ本体２の形状は、例えば、長方形、砂時計形、羽子板形等が挙げられる。なお、おむつ本体２は、着用者の大腿部に挟まれて幅方向ｘに圧迫されても歪みにくくする点から、砂時計形、すなわち股部Ｒが前腹部Ｐと後背部Ｑよりも幅狭に形成されていることが好ましい。
【００３４】
おむつ本体２の外面側には、幅方向ｘの一方側と他方側にそれぞれベルト部材１１が取り付けられる。具体的には、右側ベルト部材１１Ａと左側ベルト部材１１Ｂがおむつ本体２の外面側に取り付けられる。図面に示した使い捨ておむつ１では、おむつ本体２の外面側がバックシート４から構成されており、バックシート４にベルト部材１１が取り付けられている。ベルト部材１１はおむつ本体２の前腹部Ｐと後背部Ｑを繋ぐように取り付けられ、前腹部Ｐと後背部Ｑと右側ベルト部材１１Ａと左側ベルト部材１１Ｂによって着用者の胴を通すためのウェスト開口部が形成可能となっており、股部Ｒと右側ベルト部材１１Ａまたは左側ベルト部材１１Ｂによって着用者の脚を通すための脚開口部が形成可能となっている。
【００３５】
ベルト部材１１は、前後方向ｙの一方側が前腹部Ｐに固定され、前後方向ｙの他方側が後背部Ｑに固定されている。ベルト部材１１は、図２〜図４に示すように、前腹部Ｐに固定された前側固定領域１２と、後背部Ｑに固定された後側固定領域１３と、これらの間に位置しおむつ本体２に固定されないベルト中間領域１４とを有し、前側固定領域１２とベルト中間領域１４とは前側境界線１５によって区分され、後側固定領域１３とベルト中間領域１４とは後側境界線１６によって区分されている。図３では、前側固定領域１２と後側固定領域１３がクロスハッチングで示されている。そして、前側境界線１５は、幅方向ｘの内方かつ前後方向ｙの外方に向かって延びる傾斜線（以下、当該傾斜線を「前側傾斜線」と称する）を含むように形成され、後側境界線１６は、幅方向ｘの内方かつ前後方向ｙの外方に向かって延びる傾斜線（以下、当該傾斜線を「後側傾斜線」と称する）を含むように形成される。ベルト部材１１はこのようにおむつ本体２に取り付けられることにより、図３に示すようにベルト部材１１をおむつ本体２（バックシート４）の外面側に位置させたり、ベルト部材１１を図３に示した状態からベルト中間領域１４の表裏を反転させて折り返すことにより、図１や図２に示すように、ベルト部材１１を使い捨ておむつ１の腰回りに位置させることができる。使い捨ておむつ１は、図３に示すように、製造時にベルト部材１１をおむつ本体２の外面側に重ねるようにして取り付けることにより、簡便に製造することができる。
【００３６】
ベルト部材１１は、トップシート３やバックシート４に使用可能なシート材料から構成すればよい。ベルト部材１１は伸縮性を有するものであってもよく、その場合はベルト部材１１に弾性部材（ベルト用弾性部材）を設けたり、ベルト部材１１を弾性シートから構成すればよい。前者の場合、ベルト部材１１は例えば、不織布間に弾性部材が配されて構成される。
【００３７】
ベルト部材１１の前側固定領域１２と後側固定領域１３は、ベルト部材１１がおむつ本体２に固定される領域であり、ベルト部材１１のおむつ本体２への固定は公知の接合手段により行えばよい。ベルト部材１１の前側固定領域１２と後側固定領域１３は、例えば、接着剤によりおむつ本体２に接着されてもよく、ヒートシールや超音波溶着によって、おむつ本体２に溶着されてもよい。これらは組み合わせて用いてもよい。一方、ベルト中間領域１４は、ベルト部材１１の前側固定領域１２と後側固定領域１３の間に位置し、ベルト部材１１は当該領域でおむつ本体２に固定されない。
【００３８】
前側固定領域１２と後側固定領域１３では、当該領域の全面でベルト部材１１がおむつ本体２に接合されていてもよく、ベルト部材１１が部分的に（例えば、所定の接合パターンで）おむつ本体２に接合されていてもよい。ベルト部材１１を接着剤によりおむつ本体２に接合する場合は、前側固定領域１２と後側固定領域１３で接着剤が全面塗布されてもよいし、網状や線状や散点状等の所定のパターンで塗布されてもよい。例えば、接着剤を線状の接着パターンで塗布する場合は、線状の接着パターンは、直線状であってもよく、曲線状（例えば、蛇行線状やスパイラル状）であってもよく、これらの組み合わせであってもよい。
【００３９】
前側固定領域１２は、前後方向ｙの後側縁が前側境界線１５を規定するように形成され、後側固定領域１３は、前後方向ｙの前側縁が後側境界線１６を規定するように形成される。前側境界線１５は、幅方向ｘの内方かつ前後方向ｙの外方に向かって延びる前側傾斜線を含んで形成され、ベルト部材１１は前側傾斜線で折り返し可能に形成される。後側境界線１６は、幅方向ｘの内方かつ前後方向ｙの外方に向かって延びる後側傾斜線を含んで形成され、ベルト部材１１は後側傾斜線で折り返し可能に形成される。ベルト部材１１は、前側傾斜線と後側傾斜線で折り返さない場合は、ベルト中間領域１４がおむつ本体２の股部Ｒに重なって配され、前側傾斜線と後側傾斜線に沿って折り返すことにより、ベルト中間領域１４を使い捨ておむつ１の腰回りに位置させることができる。このようなベルト部材１１の折り返しを容易にするために、前側境界線１５はその全長の７０％以上が前側傾斜線から形成されることが好ましく、当該割合は８０％以上がより好ましく、９０％以上がさらに好ましい。前側境界線１５は、図２や図３に示されるように、全部が前側傾斜線から形成されることが特に好ましい。同様に、後側境界線１６はその全長の７０％以上が後側傾斜線から形成されることが好ましく、当該割合は８０％以上がより好ましく、９０％以上がさらに好ましい。後側境界線１６は、図２や図３に示されるように、全部が後側傾斜線から形成されることが特に好ましい。前側境界線１５と後側境界線１６が前側傾斜線または後側傾斜線を含んで所望の形状で形成することを容易にする点からは、前側境界線１５と後側境界線１６でベルト部材１１がおむつ本体２に溶着されていることが好ましい。
【００４０】
前側固定領域１２は、ベルト部材１１の前側縁またはその近傍まで延在して設けられることが好ましい。従って、前側固定領域１２の前側縁は、ベルト部材１１の前側縁から１５ｍｍ以内の領域にあることが好ましく、１０ｍｍ以内がより好ましく、５ｍｍ以内がさらに好ましい。また、前側固定領域１２の前側縁の全部がこのような領域にあることが好ましい。後側固定領域１３は、ベルト部材１１の後側縁またはその近傍まで延在して設けられることが好ましい。従って、後側固定領域１３の後側縁は、ベルト部材１１の後側縁から１５ｍｍ以内の領域にあることが好ましく、１０ｍｍ以内がより好ましく、５ｍｍ以内がさらに好ましい。また、後側固定領域１３の後側縁の全部がこのような領域にあることが好ましい。
【００４１】
前側固定領域１２の前後方向ｙの長さは、前側境界線１５の前後方向ｙの長さ（前側境界線１５の前側端から後側端までの前後方向ｙの長さ）よりも５ｍｍ以上長いことが好ましく、１０ｍｍ以上がより好ましく、１５ｍｍ以上がさらに好ましい。同様に、後側固定領域１３の前後方向ｙの長さは、後側境界線１６の前後方向ｙの長さ（後側境界線１６の前側端から後側端までの前後方向ｙの長さ）よりも５ｍｍ以上長いことが好ましく、１０ｍｍ以上がより好ましく、１５ｍｍ以上がさらに好ましい。このように前側固定領域１２と後側固定領域１３が設けられれば、ベルト部材１１がおむつ本体２に強固に固定されやすくなる。一方、前側固定領域１２と後側固定領域１３のそれぞれの前後方向ｙの長さの上限は特に限定されないが、例えば２５０ｍｍ以下、あるいは２００ｍｍ以下でもよい。また、前側固定領域１２と後側固定領域１３のそれぞれの幅方向ｘの長さは、ベルト部材１１の幅方向ｘの長さの７０％以上であることが好ましく、８０％以上がより好ましく、９０％以上がさらに好ましい。
【００４２】
なお、本発明において、使い捨ておむつの様々な長さや位置や角度は、使い捨ておむつに設けられる弾性部材（弾性部材が使い捨ておむつに設けられる場合）を完全に伸張させた状態、すなわち、弾性部材を除去した状態あるいは弾性部材を細かく切断して弾性部材の収縮力が発現しない状態で測定する。
【００４３】
ベルト中間領域１４は、ベルト部材１１において、前側境界線１５と後側境界線１６を基点としておむつ本体２に対して移動可能に形成される部分であり、使い捨ておむつ１の着用の際に、着用者の左右の腰回りに位置するように使用される。使い捨ておむつ１では、ベルト部材１１が、おむつを着用した際にベルト中間領域１４が斜め上方に延びるように、おむつ本体２に取り付けられている。従って、前側境界線１５の前側傾斜線が前後方向ｙに対してなす角を角αとし、後側境界線１６の後側傾斜線が前後方向ｙに対してなす角を角βとしたときに、角αと角βはいずれも４５°超７５°以下となっている。このようにベルト部材１１がおむつ本体２に取り付けられていれば、おむつ本体２がベルト部材１１によって吊り下げられる形となり、おむつ着用の際に、おむつがずれ落ちにくくなる。また、おむつ本体２の股部Ｒとベルト部材１１によって形成される脚開口部を大きく形成することが容易になる。その上で、使い捨ておむつ１は、角αが角βよりも大きく形成されている。このように使い捨ておむつ１が形成されていれば、おむつ着用の際に、ベルト中間領域１４が前腹部Ｐでより斜め上方に延びる形となるため、脚開口部が前側の方が後側よりも広く形成される。そのため、おむつを着用した際に、おむつの脚回りでの可動域が広がり、着用者が脚を動かしやすくなる。角αは、５０°以上が好ましく、５５°以上がより好ましく、また７０°以下が好ましく、６５°以下がより好ましい。一方、角βは、４８°以上が好ましく、５０°以上がより好ましく、また６８°以下が好ましく、６３°以下がより好ましく、６０°以下がさらに好ましい。また、角αは角βよりも２°以上大きいことが好ましく、３°以上大きいことがより好ましく、５°以上大きいことがさらに好ましい。
【００４４】
ベルト部材１１は、前側境界線１５の前側端がおむつ本体２の前側縁９よりも前後方向ｙの内方に位置するように、おむつ本体２に取り付けられていることが好ましい。このようにベルト部材１１がおむつ本体２に取り付けられていれば、おむつ本体２の前腹部Ｐが着用者の腹側を広く覆うことが可能となるとともに、おむつを着用の際、おむつ本体２の前側端部（おむつ本体２において前側境界線１５よりも前後方向ｙの外方に位置する部分）がベルト部材１１によって支えられ、おむつ本体２の前側端部がおむつの外面側に折れ返りにくくなる。前側境界線１５の前側端は、具体的には、おむつ本体２の前側縁９よりも前後方向ｙの１０ｍｍ以上内方（より好ましくは２５ｍｍ以上内方であり、さらに好ましくは５０ｍｍ以上内方）に位置することが好ましい。なお、前側境界線１５の前側端のおむつ本体２の前側縁９からの長さは、前側境界線１５の前側端を起点に前後方向ｙに延ばした直線がおむつ本体２の前側縁９に到達するまでの当該直線の長さを意味する。
【００４５】
ベルト部材１１は、後側境界線１６の後側端がおむつ本体２の後側縁１０よりも前後方向ｙの内方に位置するように、おむつ本体２に取り付けられていることも好ましい。この場合は、おむつ本体２が着用者の臀部を広く覆うことが可能となるとともに、おむつを着用の際、おむつ本体２の後側端部（おむつ本体２において後側境界線１６よりも前後方向ｙの外方に位置する部分）がベルト部材１１によって支えられ、おむつ本体２の後側端部がおむつの外面側に折れ返りにくくなる。後側境界線１６の後側端は、具体的には、おむつ本体２の後側縁１０よりも前後方向ｙの１０ｍｍ以上内方（より好ましくは２０ｍｍ以上内方であり、さらに好ましくは３０ｍｍ以上内方）に位置することが好ましい。なお、後側境界線１６の後側端のおむつ本体２の後側縁１０からの長さは、後側境界線１６の後側端を起点に前後方向ｙに延ばした直線がおむつ本体２の後側縁１０に到達するまでの当該直線の長さを意味する。
【００４６】
ベルト部材１１は、前側境界線１５の前側端が後側境界線１６の後側端よりもおむつ本体２の前後方向ｙの内方に位置するように設けられることが好ましい。すなわち、前側境界線１５の前側端のおむつ本体２の前側縁９からの離間距離が、後側境界線１６の後側端のおむつ本体２の後側縁１０からの離間距離よりも長く形成されていることが好ましい。なお前記離間距離とは、前後方向ｙに対する離間距離を意味し、離間距離が０ｍｍの場合も含む。このようにベルト部材１１がおむつ本体２に取り付けられていれば、おむつ本体２の前腹部Ｐがそけい部に沿って引き上げられて、おむつ本体２の着用者の腹側への密着性を高めることが容易になる。そのため、着用者の腹側でおむつ本体２が邪魔に感じにくくなり、着用者が脚を動かしやすくなる。
【００４７】
使い捨ておむつ１は、ベルト中間領域１４の前後方向ｙの長さがおむつ本体２の前後方向ｙの長さよりも短く形成されていることが好ましい。具体的には、前側境界線１５の前側端から後側境界線１６の後側端までの前後方向ｙの長さＬ1が、おむつ本体２の前後方向ｙの長さＬ2の９５％以下となるように形成されていることが好ましい。このように使い捨ておむつ１を構成することにより、おむつ本体２が着用者の股間を含む腹側から背側に至る広い範囲を覆うようにしつつ、おむつ本体２の前後方向ｙの長さよりも短い長さで形成されたベルト中間領域１４によって、着用者の腰回りのフィット性を高めることができる。そのため、おむつ着用の際に、着用者の股間および腰回りで使い捨ておむつ１が好適に保持され、尿等の漏れが起こりにくくなる。前側境界線１５の前側端から後側境界線１６の後側端までの前後方向ｙの長さＬ1は、おむつ本体２の前後方向ｙの長さＬ2の９３％以下が好ましく、９０％以下がより好ましく、８７％以下がさらに好ましい。一方、使い捨ておむつ１の腰回りの長さを確保する点から、前側境界線１５の前側端から後側境界線１６の後側端までの前後方向ｙの長さＬ1は、おむつ本体２の前後方向ｙの長さＬ2の５０％以上であることが好ましく、６０％以上がより好ましく、７０％以上がさらに好ましく、７５％以上がさらにより好ましい。なお、前側境界線１５の前側端から後側境界線１６の後側端までの前後方向ｙの長さとは、前側固定領域１２の後側縁の最前部から後側固定領域１３の前側縁の最後部までの長さを意味する。
【００４８】
おむつ本体２は、前側縁９が幅方向ｘに延びる直線部を含み、当該直線部はおむつ本体２の幅方向ｘの長さの５０％以上を有することが好ましい。このようにおむつ本体２が形成されていれば、おむつ本体２が前側端部において着用者の腹側を広く覆うことが可能となる。また、ベルト中間領域１４がおむつ本体２の前腹部Ｐから斜め上方に延びるように形成されているため、おむつを着用の際、おむつ本体２の前側端部の幅方向ｘの両側がベルト部材１１によって覆われて、おむつ本体２の前側端部の着用者の肌への密着性を高めやすくなる。おむつ本体２はまた、後側縁１０が幅方向ｘに延びる直線部を含み、当該直線部がおむつ本体２の幅方向ｘの長さの５０％以上を有するように形成されることも好ましい。この場合は、おむつ本体２が後側端部において着用者の背側を広く覆うことが可能となり、またベルト部材１１によって、おむつ本体２の後側端部の着用者の肌への密着性を高めることが可能となる。おむつ本体２の前側縁９および／または後側縁１０に含まれる幅方向ｘに延びる直線部は、好ましくはおむつ本体２の幅方向ｘの長さの６０％以上の長さを有し、７０％以上がより好ましく、８０％以上がさらに好ましい。おむつ本体２の前側縁９および／または後側縁１０は全部が幅方向ｘに延びる直線部から形成されていてもよい。なお、ここで説明した直線部の長さは、直線部が連続的に延びる長さを意味する。また直線部は、おむつ本体２の幅方向ｘの中心を通るように形成されることが好ましい。
【００４９】
前側境界線１５および／または後側境界線１６は吸収体５と重なって形成されることが好ましい。このように前側境界線１５および／または後側境界線１６が形成されていれば、おむつ本体２の前側境界線１５や後側境界線１６での剛性が高まる。そのため、おむつを着用の際におむつ本体２が前側境界線１５や後側境界線１６でベルト部材１１によって引っ張られても、前側境界線１５や後側境界線１６でおむつ本体２が折れ曲がりにくくなり、おむつの着用感が向上する。好ましくは、前側境界線１５と後側境界線１６の両方が吸収体５と重なって形成される。また、ベルト部材１１をおむつ本体２に安定して固定する点から、前側固定領域１２および／または後側固定領域１３が吸収体５と重なって形成されることが好ましく、前側固定領域１２と後側固定領域１３の両方が吸収体５と重なって形成されることがより好ましい。
【００５０】
前側固定領域１２および／または後側固定領域１３は、前後方向ｙの長さが幅方向ｘの内方側よりも外方側の方が長く形成されていることが好ましい。ベルト部材１１の幅方向ｘの外方側は、おむつを着用した際に着用者の脚の動きにより影響を受けやすい。そのため、前側固定領域１２および／または後側固定領域１３の前後方向ｙの長さを幅方向ｘの外方側でより長く形成して、前側固定領域１２および／または後側固定領域１３が幅方向ｘの外方側でより広い面積となるように形成することで、おむつを着用した際に、ベルト部材１１がおむつ本体２から剥がれにくくすることができる。好ましくは、前側固定領域１２と後側固定領域１３の両方が、前後方向ｙの長さが幅方向ｘの内方側よりも外方側の方が長く形成される。
【００５１】
ベルト部材１１は、使い捨ておむつ１の腰回りのフィット性を高める観点から、伸縮性であることが好ましい。この場合、ベルト部材１１は、少なくともベルト中間領域１４において前後方向ｙに伸縮性を有することが好ましい。このようにベルト部材１１を形成するために、ベルト部材１１の少なくともベルト中間領域１４に前後方向ｙに延びるベルト用弾性部材を設けることが好ましい。
【００５２】
ベルト部材１１にベルト用弾性部材が設けられ、おむつ本体２の幅方向ｘの両側に脚用弾性部材が設けられる場合は、ベルト用弾性部材は脚用弾性部材よりも強い収縮力で設けられることが好ましい。このようにベルト用弾性部材と脚用弾性部材を設けることにより、おむつ着用の際に、着用者の腰回りでのフィット性が高まるとともに、着用者の脚回りでは脚用弾性部材が強く当たりにくくなり、おむつの着用感を向上することができる。なお、各弾性部材の収縮力は、次のように測定する。まず、使い捨ておむつに取り付けられた弾性部材を伸張させて、使い捨ておむつを図３に示すように完全に広げた状態で、弾性部材の伸張長さＬを測定する。次いで、当該弾性部材を使い捨ておむつから取り外して長さＬまで伸ばしたときの収縮力を測定することにより、弾性部材の収縮力を求める。各弾性部材が複数本設けられている場合は、複数本の弾性部材の収縮力を求める。
【００５３】
ベルト部材１１の前後方向ｙの長さは、おむつ本体２の前後方向ｙの長さと同じか、それよりも短く形成されることが好ましい。ベルト部材１１が伸縮性を有する場合は、ベルト部材１１を伸張した状態の前後方向ｙの長さがこのように形成されることが好ましい。
【００５４】
ベルト部材１１の幅方向ｘの長さ（右側ベルト部材１１Ａと左側ベルト部材１１Ｂのそれぞれの幅方向ｘの長さ）はおむつ本体２の幅方向ｘの長さの５０％以下であることが好ましく、右側ベルト部材１１Ａと左側ベルト部材１１Ｂは互いに重ならないようにおむつ本体２に設けられることが好ましい。右側ベルト部材１１Ａと左側ベルト部材１１Ｂはまた、おむつ本体２の幅方向ｘの長さの３％以上離間して設けられることが好ましい。このようにベルト部材１１が設けられれば、おむつを着用した際におむつ本体２がベルト部材１１によって幅方向ｘに引っ張られて、おむつ本体２が着用者の腹側や背側で幅方向ｘに広がりやすくなる。なお、ベルト部材１１の幅方向ｘの長さはおむつ本体２の幅方向ｘの長さの２０％以上であることが好ましく、３０％以上がより好ましく、３５％以上がさらに好ましい。また、右側ベルト部材１１Ａと左側ベルト部材１１Ｂの離間距離は、おむつ本体２の幅方向ｘの長さの５％以上であることがより好ましく、また５０％以下が好ましく、４０％以下がより好ましく、３０％以下がさらに好ましい。なお、ここで説明した右側ベルト部材１１Ａと左側ベルト部材１１Ｂの離間距離とは、右側ベルト部材１１Ａと左側ベルト部材１１Ｂが幅方向ｘに最も近接した部分での離間距離を意味する。
【００５５】
ベルト部材１１は例えば長方形状に形成されることが好ましい。この場合、使い捨ておむつ１の製造を簡便にすることができる。ベルト部材１１はまた、ベルト中間領域１４がおむつ本体２の外面側に位置する状態で、ベルト中間領域１４の幅方向ｘの内方縁が幅方向ｘの外方に膨らんだ形状に形成されることも好ましい。この場合、ベルト中間領域１４は、例えば、幅方向ｘの内方縁が幅方向ｘの外方に湾曲する部分を含むように形成される。ベルト中間領域１４の幅方向ｘの内方縁は、おむつを着用した際に着用者の腰回りでベルト部材１１の上方縁を形成するため、このようにベルト中間領域１４を形成することにより、おむつ着用の際にベルト部材１１の上方縁が下方に折れ曲がりにくくなり、おむつの着用感を向上することができる。
【００５６】
なお、図面に示した使い捨ておむつ１では、おむつ本体２の前側縁９と後側縁１０が幅方向ｘに延びる直線部から形成され、ベルト部材１１の前側境界線１５と後側境界線１６がおむつ本体２の前側縁９および後側縁１０から前後方向ｙの内方に位置するように形成されていたが、本発明の使い捨ておむつは、おむつ本体の前側縁と後側縁がおむつの幅方向の外方かつ前後方向の内方に延びる傾斜辺部を含んで形成され、この前側縁と後側縁の傾斜辺部に沿ってベルト部材がおむつ本体に取り付けられているものであってもよい。
【符号の説明】
【００５７】
１：使い捨ておむつ
２：おむつ本体
３：トップシート
４：バックシート
５：吸収体
１１：ベルト部材、１１Ａ：右側ベルト部材、１１Ｂ：左側ベルト部材
１２：前側固定領域
１３：後側固定領域
１４：ベルト中間領域
１５：前側境界線
１６：後側境界線
【図１】
2018153307.tif 000003
【図２】
2018153307.tif 000004
【図３】
2018153307.tif 000005
【図４】
2018153307.tif 000006
【図５】
2018153307.tif 000007